(57)【特許請求の範囲】
【請求項１】
複数のコンポーネント搬送波を支援する無線通信システムにおいて、端末が信号を受信する方法であって、
複数のＯＦＤＭシンボルを含むサブフレームを基地局から受信するステップと、
前記基地局からの前記サブフレーム内の一つ以上の連続したＯＦＤＭシンボルを介して、前記端末に割当てられた特定コンポーネント搬送波に関連するスケジューリング情報を受信するステップであって、前記スケジューリング情報には、データを送信または受信するために前記端末において必要な制御情報及び前記特定コンポーネント搬送波を識別するために使用される値を含む搬送波指示フィールド（ＣＩＦ）が含まれるステップと、
搬送波スケジューリングに従い、前記端末において使用される複数のコンポーネント搬送波のインデックスマッピング規則に関するインデックスマッピング情報を、前記基地局から受信するステップと、
を含み、
前記値は、前記特定コンポーネント搬送波のインデックスと基準コンポーネント搬送波のインデックスとの間の差分と同一であり、該基準コンポーネント搬送波は、前記複数のコンポーネント搬送波のうち、前記基地局により端末特定に決定される、信号受信方法。
【請求項２】
前記端末は、前記インデックスマッピング情報及び前記特定コンポーネント搬送波に対する前記ＣＩＦに含まれる前記値を用いて、前記特定コンポーネント搬送波の位置情報を取得する、請求項１に記載の信号受信方法。
【請求項３】
前記複数のコンポーネント搬送波の前記インデックスマッピング規則は、前記複数のコンポーネント搬送波がアップリンクに該当するか、又はダウンリンクに該当するかを考慮してインデクシングが実行される順次的にインデクシングされるマッピング規則、及びアップリンクとダウンリンクとを区別することなくインデクシングが実行される任意的にインデクシングされるマッピング規則を含む、請求項２に記載の信号受信方法。
【請求項４】
複数のコンポーネント搬送波を支援する無線通信システムにおいて、基地局が信号を送信する方法であって、
端末により使用される複数のコンポーネント搬送波をスケジューリングするステップと、
前記端末へのサブフレーム内の一つ以上の連続したＯＦＤＭシンボルを介して、前記端末に割当てられた特定コンポーネント搬送波に関連するスケジューリング情報を送信するステップであって、前記スケジューリング情報には、データを送信または受信するために前記端末において必要な制御情報及び前記特定コンポーネント搬送波を識別するために使用される値を含む搬送波指示フィールド（ＣＩＦ）が含まれるステップと、
搬送波スケジューリングに従い、前記複数のコンポーネント搬送波のインデックスマッピング規則に関するインデックスマッピング情報を前記端末に送信するステップと、
を含み、
前記値は、前記特定コンポーネント搬送波のインデックスと基準コンポーネント搬送波のインデックスとの間の差分と同一であり、該基準コンポーネント搬送波は、前記複数のコンポーネント搬送波のうち、前記基地局により端末特定に決定される、信号送信方法。
【請求項５】
前記複数のコンポーネント搬送波の前記インデックスマッピング規則は、前記複数のコンポーネント搬送波がアップリンクに該当するか、又はダウンリンクに該当するかを考慮してインデクシングが実行される順次的にインデクシングされるマッピング規則、及びアップリンクとダウンリンクとを区別することなくインデクシングが実行される任意的にインデクシングされるマッピング規則を含む、請求項４に記載の信号送信方法。
【請求項６】
複数の搬送波を支援する無線通信システムにおいて使用される端末であって、
無線周波数信号を受信するための受信モジュールと、
前記受信モジュールを介して、基地局から受信した複数のＯＦＤＭシンボルを含むサブフレーム内の一つ以上の連続したＯＦＤＭシンボルを介して、端末に割当てられた特定コンポーネント搬送波に関連するスケジューリング情報を受信し、前記スケジューリング情報には、データを送信または受信するために前記端末において必要な制御情報及び前記特定コンポーネント搬送波を識別するために使用される値を含む搬送波指示フィールド（ＣＩＦ）が含まれ、端末において用いられる複数のコンポーネント搬送波のインデックスマッピング規則に関するインデックスマッピング情報を用いて、前記特定コンポーネント搬送波の位置情報を取得し、前記特定コンポーネント搬送波を介して信号を送受信するためのプロセッサと、を備え、
前記値は、前記特定コンポーネント搬送波のインデックスと基準コンポーネント搬送波のインデックスとの間の差分と同一であり、該基準コンポーネント搬送波は、前記複数のコンポーネント搬送波のうち、前記基地局により端末特定に決定される、端末。
【請求項７】
前記プロセッサは、前記インデックスマッピング情報及び前記特定コンポーネント搬送波に対する前記ＣＩＦに含まれる前記値を用いて、前記特定コンポーネント搬送波がアップリンクに該当するか、又はダウンリンクに該当するかを判断する、請求項６に記載の端末。
【請求項８】
前記複数のコンポーネント搬送波の前記インデックスマッピング規則は、前記複数のコンポーネント搬送波がアップリンクに該当するか、又はダウンリンクに該当するかを考慮してインデクシングが実行される順次的にインデクシングされるマッピング規則、及びアップリンクとダウンリンクとを区別することなくインデクシングが実行される任意的にインデクシングされるマッピング規則を含む、請求項７に記載の端末。
【発明の詳細な説明】
【技術分野】
【０００１】
本発明は、複数のコンポーネント搬送波を支援する無線通信システムに係り、特に、搬送波スケジューリングによるコンポーネント搬送波識別情報を送受信する方法及びその装置に関する。
【背景技術】
【０００２】
無線通信システムが音声やデータなどのような種々の通信サービスを提供するために広範囲に展開されている。一般に、無線通信システムは、可用のシステムリソース（帯域幅、転送パワーなど）を共有して多重ユーザとの通信を支援できる多重接続（ｍｕｌｔｉｐｌｅ  ａｃｃｅｓｓ）システムである。多重接続システムの例には、ＣＤＭＡ（ｃｏｄｅ  ｄｉｖｉｓｉｏｎ  ｍｕｌｔｉｐｌｅ  ａｃｃｅｓｓ）システム、ＦＤＭＡ（ｆｒｅｑｕｅｎｃｙ  ｄｉｖｉｓｉｏｎ  ｍｕｌｔｉｐｌｅ  ａｃｃｅｓｓ）システム、ＴＤＭＡ（ｔｉｍｅ  ｄｉｖｉｓｉｏｎ  ｍｕｌｔｉｐｌｅ  ａｃｃｅｓｓ）システム、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）システム、ＳＣ−ＦＤＭＡ（ｓｉｎｇｌｅ  ｃａｒｒｉｅｒ  ｆｒｅｑｕｅｎｃｙ  ｄｉｖｉｓｉｏｎ  ｍｕｌｔｉｐｌｅ  ａｃｃｅｓｓ）システム、ＭＣ−ＦＤＭＡ（ｍｕｌｔｉｃａｒｒｉｅｒ  ｆｒｅｑｕｅｎｃｙ  ｄｉｖｉｓｉｏｎ  ｍｕｌｔｉｐｌｅ  ａｃｃｅｓｓ）システムなどがある。無線通信システムにおいて、端末は、基地局からダウンリンク（ｄｏｗｎｌｉｎｋ；ＤＬ）を通じて情報を受信することができ、アップリンク（ｕｐｌｉｎｋ；ＵＬ）を通じて基地局に情報を転送することができる。端末が転送または受信する情報にはデータ及び種々の制御情報があり、端末が転送または受信する情報の種類及び用途に応じて種々の物理チャネルが存在する。
【０００３】
無線移動通信システムでは、送信端と受信端間のチャネルが固定していないため、送信アンテナと受信アンテナ間のチャネルを随時測定する必要がある。チャネルを測定するために互いに約束された信号をやり取りする場合に、チャネルによる振幅減少量及び位相遷移値などを把握することができ、該把握された情報は、送信側にフィードバック転送することができる。または、該把握された情報を用いて、データ情報を信頼性よく検出して復号化することができる。このような送受信端間で予め決められた信号を基準信号、パイロット信号またはサウンディング基準信号と呼ぶことができる。
【０００４】
本発明が適用されうる移動通信システムの一例として、３ＧＰＰ ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ；以下、「ＬＴＥ」という。）通信システムについて概略的に説明する。
【０００５】
図１は、移動通信システムの一例としてＥ−ＵＭＴＳネットワーク構造を概略的に示す図である。Ｅ−ＵＭＴＳ（Ｅｖｏｌｖｅｄ  Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、既存ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）から進展したシステムで、現在３ＧＰＰで基礎的な標準化作業が進行中である。一般に、Ｅ−ＵＭＴＳは、ＬＴＥ（Ｌｏｎｇ  Ｔｅｒｍ  Ｅｖｏｌｕｔｉｏｎ）システムと呼ぶこともできる。ＵＭＴＳ及びＥ−ＵＭＴＳの技術規格（ｔｅｃｈｎｉｃａｌ  ｓｐｅｃｉｆｉｃａｔｉｏｎ）の詳細な内容はそれぞれ、「３ｒｄ   Ｇｅｎｅｒａｔｉｏｎ  Ｐａｒｔｎｅｒｓｈｉｐ  Ｐｒｏｊｅｃｔ；Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ」のＲｅｌｅａｓｅ ７とＲｅｌｅａｓｅ ８を参照するとよい。
【０００６】
図１を参照すると、Ｅ−ＵＭＴＳは、端末（Ｕｓｅｒ  Ｅｑｕｉｐｍｅｎｔ、ＵＥ）１０、基地局（ｅＮｏｄｅ  Ｂ；ｅＮＢ）１１、及びネットワーク（Ｅ−ＵＴＲＡＮ）の末端に位置して外部ネットワークと接続するアクセスゲートウェイ（Ａｃｃｅｓｓ  Ｇａｔｅｗａｙ、ＡＧ）を含む。基地局は、ブロードキャストサービス、マルチキャストサービス及び／またはユニキャストサービスのために多重データストリームを同時に転送することができる。
【０００７】
一つの基地局には一つ以上のセルが存在する。セルは、１．２５、２．５、５、１０、１５、２０ＭＨｚなどの帯域幅のいずれかに設定され、複数の端末にダウンリンクまたはアップリンク転送サービスを提供する。互いに異なるセルは、互いに異なる帯域幅を提供するように設定することができる。基地局は、複数の端末に対するデータ送受信を制御する。ダウンリンク（Ｄｏｗｎｌｉｎｋ、ＤＬ）データについて、基地局は、ダウンリンクスケジューリング情報を転送し、該当の端末にデータが転送される時間／周波数領域、符号化、データサイズ、ハイブリッド自動再送要請（Ｈｙｂｒｉｄ  Ａｕｔｏｍａｔｉｃ  Ｒｅｐｅａｔ  ａｎｄ  ｒｅｑｕｅｓｔ、ＨＡＲＱ）関連情報などを知らせる。また、アップリンク（Ｕｐｌｉｎｋ、ＵＬ）データについて、基地局は、アップリンクスケジューリング情報を該当の端末に転送し、該端末が使用できる時間／周波数領域、符号化、データサイズ、ハイブリッド自動再送要請関連情報などを知らせる。基地局間では、ユーザトラフィックまたは制御トラフィックの転送のためのインターフェースを用いることができる。コアネットワーク（Ｃｏｒｅ  Ｎｅｔｗｏｒｋ、ＣＮ）は、ＡＧ、及び端末のユーザ登録などのためのネットワークノードなどで構成することができる。ＡＧは、複数のセルから構成されるＴＡ（Ｔｒａｃｋｉｎｇ  Ａｒｅａ）単位で端末の移動性を管理する。
【０００８】
無線通信技術は、ＷＣＤＭＡを基にしてＬＴＥまで開発されてきているが、ユーザと事業者の要求及び期待は増加する一方である。また、新規な無線接続技術の開発が続いており、将来、競争力を持つためには、新しい技術の進展を図らなければならない。ビット当たりコストの低減、サービス可用性の増大、融通性ある周波数バンドの使用、単純構造と開放型インターフェース、端末の適切なパワー消耗などが要求される。
【０００９】
近年、３ＧＰＰは、ＬＴＥの後続技術に対する標準化作業を進行している。この技術を、本明細書では、「ＬＴＥ−Ａｄｖａｎｃｅｄ」または「ＬＴＥ−Ａ」と称する。ＬＴＥシステムとＬＴＥ−Ａシステムとの主な相違点の一つは、システム帯域幅の相違である。ＬＴＥ−Ａシステムは、最大１００ＭＨｚの広帯域を支援することを目指しており、そのために、複数の周波数ブロックを用いて広帯域を達成する搬送波アグリゲーション（ｃａｒｒｉｅｒ  ａｇｇｒｅｇａｔｉｏｎ）または帯域幅アグリゲーション（ｂａｎｄｗｉｄｔｈ  ａｇｇｒｅｇａｔｉｏｎ）技術を用いている。搬送波アグリゲーションは、より広い周波数帯域を用いるために、複数の周波数ブロックを一つの大きな論理周波数帯域として用いるようにする。各周波数ブロックの帯域幅は、ＬＴＥシステムで用いられるシステムブロックの帯域幅に基づいて定義することができる。それぞれの周波数ブロックは、コンポーネント搬送波（ｃｏｍｐｏｎｅｎｔ  ｃａｒｒｉｅｒ）を用いて転送される。多重搬送波は、搬送波アグリゲーション、帯域幅アグリゲーションと混用することができる。
【発明の概要】
【発明が解決しようとする課題】
【００１０】
本発明は、基地局が、システムに属している端末に搬送波を割り当てるスケジューリング動作を行いながら、端末に転送する特定搬送波に関する識別情報としてオフセット値を用いる方法を提供することを課題の一つとする。
【００１１】
本発明は、特定搬送波に関する識別情報を用いて、当該搬送波がアップリンクに属するか、またはダウンリンクに属するかを区別できる方法を提供することを課題の一つとする。
【００１２】
本発明が達成しようとする技術的課題は、上記の技術的課題に制限されず、言及していない他の技術的課題は、下の記載から、本発明の属する技術の分野における通常の知識を有する者には明確に理解されるであろう。
【課題を解決するための手段】
【００１３】
上記課題を解決するための本発明の一態様の一実施例は、複数のコンポーネント搬送波を支援する無線通信システムにおいて端末が信号を受信する方法であって、複数のＯＦＤＭシンボルを含むサブフレームを基地局から受信し、前記サブフレームの前に位置している一つ以上の連続したＯＦＤＭシンボルから、特定コンポーネント搬送波を指示する識別情報を受信することを含み、前記特定コンポーネント搬送波を指示する前記識別情報は、基準になるコンポーネント搬送波を中心にした搬送波オフセット値を含む。
【００１４】
前記特定搬送波に関する前記識別情報は、搬送波指示フィールド（ｃａｒｒｉｅｒ  ｉｎｄｉｃａｔｉｏｎ  ｆｉｅｌｄ）を通じて転送されるとよい。
【００１５】
本発明の一実施例による端末の信号受信方法は、前記基地局から搬送波スケジューリングによる前記端末に用いられる複数のコンポーネント搬送波に対するインデックスがマッピングされる規則に関するインデックスマッピング情報を受信することをさらに含み、前記端末は、前記インデックスマッピング情報及び前記特定搬送波に関する識別情報を用いて前記特定搬送波の位置情報を導出することができる。
【００１６】
ここで、前記複数のコンポーネント搬送波に対するインデックスがマッピングされる規則は、前記複数のコンポーネント搬送波がアップリンクに該当するか、またはダウンリンクに該当するかを考慮して順次にインデクシングされるマッピング規則、またはアップリンクまたはダウンリンクを区別することなく任意にインデクシングされるマッピング規則を含むことができる。
【００１７】
前記複数のコンポーネント搬送波がアップリンクに該当するか、またはダウンリンクに該当するかを考慮して順次にインデクシングされるマッピング規則は、アップリンクコンポーネント搬送波は低いインデックスにマッピングし、ダウンリンクコンポーネント搬送波は高いインデックスにマッピングする方式、またはアップリンクコンポーネント搬送波は高いインデックスにマッピングし、ダウンリンクコンポーネント搬送波は低いインデックスにマッピングする方式を含むことができる。
【００１８】
本発明の一実施例によって前記基地局の搬送波スケジューリングがコンポーネント搬送波グループ単位に行われる場合に、第１コンポーネント搬送波グループに属している特定コンポーネント搬送波を指示する前記識別情報を、第２コンポーネント搬送波グループに属している特定コンポーネント搬送波を指示するものとして再解析することをさらに含むことができる。
【００１９】
前記特定コンポーネント搬送波に対する搬送波オフセット値は、前記複数のコンポーネント搬送波タイプによって区別されるインデックスカウンティング方式によって決定されるとよい。
【００２０】
上記課題を解決するための本発明の一態様の他の実施例は、複数のコンポーネント搬送波を支援する無線通信システムにおいて基地局が信号を転送する方法であって、端末に用いられる複数のコンポーネント搬送波をスケジューリングし、複数のＯＦＤＭシンボルを含むサブフレームの前に位置している一つ以上の連続したＯＦＤＭシンボルを通じて、前記複数のコンポーネント搬送波のうち特定コンポーネント搬送波を指示する識別情報を転送することを含み、前記特定コンポーネント搬送波を指示する前記識別情報は、基準になるコンポーネント搬送波を中心にした搬送波オフセット値を含むことができる。
【００２１】
本発明の一実施例による基地局の信号転送方法は、前記搬送波スケジューリングによる前記複数のコンポーネント搬送波に対するインデックスがマッピングされる規則に関するインデックスマッピング情報を前記端末に転送することをさらに含むことができる。
【００２２】
本発明の一実施例によって、前記端末に対する搬送波スケジューリングをコンポーネント搬送波グループ単位に行う場合に、第１コンポーネント搬送波グループに属している特定コンポーネント搬送波を指示するものとして解析される前記識別情報は、第２コンポーネント搬送波グループに属している特定コンポーネント搬送波を指示するものとして再解析されるとよい。
【００２３】
上記課題を解決するための本発明の他の態様の一実施例に係る端末は、無線信号を受信するための受信モジュールと、前記受信モジュールを介して基地局から受信した複数のＯＦＤＭシンボルを含むサブフレームの前に位置している一つ以上の連続したＯＦＤＭシンボルから受信した、特定コンポーネント搬送波を指示する識別情報及び前記端末に用いられる複数のコンポーネント搬送波に対するインデックスがマッピングされる規則に関するインデックスマッピング情報を用いて、前記特定コンポーネント搬送波に関する位置情報を導出し、前記特定コンポーネント搬送波を通じて信号送受信動作を行うプロセッサと、を備える。
【００２４】
ここで、前記特定コンポーネント搬送波を指示する前記識別情報は、基準になるコンポーネント搬送波を中心にした搬送波オフセット値を含むことができる。
【００２５】
本発明の一実施例に係る前記プロセッサは、前記インデックスマッピング情報及び前記特定コンポーネント搬送波の識別情報を用いて、前記特定コンポーネント搬送波がアップリンクに該当するか、またはダウンリンクに該当するかを判断することができる。
【００２６】
上記課題を解決するための本発明の他の態様の他の実施例に係る基地局は、無線信号を転送するための送信モジュールと、搬送波スケジューリングによって端末に用いられる複数のコンポーネント搬送波に対するインデックスをマッピングし、前記複数のコンポーネント搬送波のうち特定コンポーネント搬送波を指示するための識別情報を構成するプロセッサと、を備える。
【００２７】
ここで、前記プロセッサは、前記複数のＯＦＤＭシンボルを含むサブフレームの前に位置している一つ以上の連続したＯＦＤＭシンボルを通じて前記識別情報及び前記複数のコンポーネント搬送波に関するインデックスマッピング情報を前記送信モジュールを介して前記端末に転送するようにし、前記特定コンポーネント搬送波を指示する前記識別情報は、基準になるコンポーネント搬送波を中心にした搬送波オフセット値を含むことができる。
【００２８】
上記の実施形態は、本発明の好適な実施例の一部に過ぎず、本願発明の技術的特徴が反映された様々な実施例を、当該技術の分野における通常の知識を有する者であれば、以下に説明する本発明の詳細な説明から導出し理解できるであろう。
【発明の効果】
【００２９】
本発明の実施例によれば、無線通信システムで効率よく搬送波スケジューリングによる特定搬送波に関する識別情報を転送することができる。
【００３０】
また、特定搬送波に関する識別情報により、前記特定搬送波がアップリンクに属するか、またはダウンリンクに属するかを区別できる情報を示すことができる。
【００３１】
本発明の付加的な利点、目的、特徴は、以下の説明から、または当業者が以下の説明に基づいて本発明を実施することから明らかになるであろう。また、本発明は、当業者が以下の説明に基づいて本発明を実施する上で予期せぬ利点が得られることもある。
【００３２】
本発明に関する理解を助けるために詳細な説明の一部として含まれる添付の図面は、本発明の実施例を提供し、詳細な説明と共に本発明の技術的思想を説明する。
【図面の簡単な説明】
【００３３】
【図１】移動通信システムの一例としてＥ−ＵＭＴＳネットワーク構造を概略的に示す図である。
【図２】３ＧＰＰ ＬＴＥで用いられる無線フレーム（ｒａｄｉｏ  ｆｒａｍｅ）の構造を示す図である。
【図３】３ＧＰＰ ＬＴＥシステムにおける物理チャネル及び該チャネルを用いた信号転送を示す図である。
【図４】ダウンリンクサブフレームの構造を示す図である。
【図５】３ＧＰＰ ＬＴＥシステムで用いられるダウンリンクの時間−周波数リソース格子構造（ｒｅｓｏｕｒｃｅ  ｇｒｉｄ  ｓｔｒｕｃｔｕｒｅ）を示す図である。
【図６】アップリンクサブフレームの構造を示す図である。
【図７】本発明の一実施例に係る基地局が端末に搬送波スケジューリングに関する搬送波識別情報を転送する手順の一例を示すフローチャートである。
【図８】本発明の一実施例に係る基地局が端末に搬送波スケジューリングに関する搬送波識別情報を転送する手順の一例を示すフローチャートである。
【図９】本発明の一実施例に係る基地局が端末に搬送波スケジューリングに関する搬送波識別情報を転送する手順の他の例を示すフローチャートである。
【図１０】本発明の実施例が実行されうる基地局及び端末を説明するためのブロック構成図である。
【発明を実施するための形態】
【００３４】
以下、本発明の好適な実施の形態を、添付の図面を参照して詳細に説明する。添付の図面と共に以下に開示される詳細な説明は、本発明の例示的な実施の形態を説明するためのもので、本発明が実施されうる唯一の実施の形態を示すためのものではない。以下の詳細な説明は、本発明の完全な理解を提供するために具体的な細部事項を含む。しかし、当業者にはそれら具体的な細部事項なしにも本発明を実施できることが理解できる。例えば、以下の詳細な説明は、移動通信システムが３ＧＰＰ ＬＴＥシステムである例にして具体的に説明するが、３ＧＰＰ ＬＴＥシステム特有の事項を除けば、他の任意の移動通信システムにも適用可能である。
【００３５】
場合によって、本発明の概念が曖昧になることを避けるために、公知の構造及び装置を省略したり、各構造及び装置の核心機能を中心にしたブロック図の形式で示すことができる。また、本明細書全体において同一の構成要素には同一の図面符号を付して説明する。
【００３６】
なお、以下の説明において、端末はＵＥ（Ｕｓｅｒ  Ｅｑｕｉｐｍｅｎｔ）、ＭＳ（Ｍｏｂｉｌｅ  Ｓｔａｔｉｏｎ）、ＡＭＳ（Ａｄｖａｎｃｅｄ  Ｍｏｂｉｌｅ  Ｓｔａｔｉｏｎ）等のような移動または固定型のユーザ端の機器を総称するものとする。また、基地局は、Ｎｏｄｅ Ｂ、ｅＮｏｄｅ Ｂ、ＢＳ（Ｂａｓｅ  Ｓｔａｔｉｏｎ）、ＡＰ（Ａｃｃｅｓｓ  Ｐｏｉｎｔ）等のような、端末と通信するネットワーク端の任意のノードを総称するものとする。
【００３７】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような種々の無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）とすることができる。ＴＤＭＡは、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術とすることができる。ＯＦＤＭＡは、ＩＥＥＥ ８０２．１１（Ｗｉ−Ｆｉ）、ＩＥＥＥ ８０２．１６（ＷｉＭＡＸ）、ＩＥＥＥ ８０２−２０、Ｅ−ＵＴＲＡ（Ｅｖｏｌｖｅｄ  ＵＴＲＡ）などのような無線技術とすることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ） ＬＴＥ（ｌｏｎｇ  ｔｅｒｍ  ｅｖｏｌｕｔｉｏｎ）は、Ｅ−ＵＴＲＡを用いるＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）は、３ＧＰＰ ＬＴＥの進展である。
【００３８】
説明を明確にするために、３ＧＰＰ ＬＴＥ、ＬＴＥ−Ａシステムを中心に説明するが、本発明の技術的思想がこれに制限されるわけではない。
【００３９】
移動通信システムにおいて、端末（ＵＥ）は、基地局からダウンリンク（Ｄｏｗｎｌｉｎｋ）を通じて情報を受信し、また、アップリンク（Ｕｐｌｉｎｋ）を通じて情報を転送することができる。端末が転送または受信する情報にはデータ及び種々の制御情報があり、端末が転送または受信する情報の種類用途によって種々の物理チャネルが存在する。
図２は、ＬＴＥシステムで用いられる無線フレーム（ｒａｄｉｏ  ｆｒａｍｅ）の構造を例示する図である。
【００４０】
図２を参照すると、無線フレームは、１０ｍｓ（３２７２００＊Ｔs）の長さを有し、１０個の均等なサイズのサブフレーム（ｓｕｂｆｒａｍｅ）で構成されている。それぞれのサブフレームは、１ｍｓの長さを有し、２個の０．５ｍｓスロット（ｓｌｏｔ）で構成されている。ここで、Ｔsは、サンプリング時間を表し、Ｔs＝１／（１５ｋＨｚ×２０４８）＝３．２５５２×１０-8（約３３ｎｓ）で表示される。スロットは、時間領域において複数のＯＦＤＭ（Ｏｒｔｈｏｇｏｎａｌ  ｆｒｅｑｕｅｎｃｙ  Ｄｉｖｉｓｉｏｎ  Ｍｕｌｔｉｐｌｅｘｉｎｇ）（またはＳＣ−ＦＤＭＡ）シンボルを有し、周波数領域において複数のリソースブロック（Ｒｅｓｏｕｒｃｅ  Ｂｌｏｃｋ；ＲＢ）を有する。ＬＴＥシステムにおいて一つのリソースブロックは、１２個の副搬送波＊７（６）個のＯＦＤＭ（またはＳＣ−ＦＤＭＡ）シンボルで構成される。フレーム構造タイプ−１及び２はそれぞれ、ＦＤＤ及びＴＤＤに用いられる。フレーム構造タイプ−２は、２個の半−フレーム（Ｈａｌｆ  Ｆｒａｍｅ）で構成され、各半−フレームは、５個のサブフレーム、ダウンリンクパイロッティングタイムスロット（Ｄｏｗｎｌｉｎｋ  Ｐｉｌｏｔｉｎｇ  Ｔｉｍｅ  Ｓｌｏｔ：ＤｗＰＴＳ）、ガード周期（Ｇｕａｒｄ  Ｐｅｒｉｏｄ：ＧＰ）、アップリンクパイロッティングタイムスロット（Ｕｐｌｉｎｋ  Ｐｉｌｏｔｉｎｇ  Ｔｉｍｅ  Ｓｌｏｔ：ＵｐＰＴＳ）を有する。上述した無線フレームの構造は一例に過ぎないもので、サブフレーム、スロットまたはＯＦＤＭ（またはＳＣ−ＦＤＭＡ）シンボルの個数／長さは様々に変更可能である。
【００４１】
図３は、３ＧＰＰシステムに用いられる物理チャネル及びこれらのチャネルを用いる一般的な信号転送方法を説明するための図である。
【００４２】
図３を参照すると、端末は、電源がついたり、新しくセルに進入したりした場合に、基地局と同期を合わせる等の初期セル探索（Ｉｎｉｔｉａｌ  ｃｅｌｌ  ｓｅａｒｃｈ）作業を行う（Ｓ３０１）。そのために、端末は基地局からプライマリ同期チャネル（Ｐｒｉｍａｒｙ  Ｓｙｎｃｈｒｏｎｉｚａｔｉｏｎ  Ｃｈａｎｎｅｌ；Ｐ−ＳＣＨ）及びセカンダリ同期チャネル（Ｓｅｃｏｎｄａｒｙ  Ｓｙｎｃｈｒｏｎｉｚａｔｉｏｎ  Ｃｈａｎｎｅｌ；Ｓ−ＳＣＨ）を受信して基地局と同期を合わせ、セルＩＤなどの情報を獲得することができる。その後、端末は、基地局から物理放送チャネル（Ｐｈｙｓｉｃａｌ  Ｂｒｏａｄｃａｓｔ  Ｃｈａｎｎｅｌ）を受信して、セル内の放送情報を獲得することができる。一方、端末は、初期セル探索段階においてダウンリンク参照信号（Ｄｏｗｎｌｉｎｋ  Ｒｅｆｅｒｅｎｃｅ  Ｓｉｇｎａｌ；ＤＬＲＳ）を受信してダウンリンクチャネル状態を確認することができる。
【００４３】
初期セル探索を終えた端末は、物理ダウンリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）及び該ＰＤＣＣＨに乗せられた情報に基づいて物理ダウンリンク共有チャネル（Ｐｈｙｓｉｃａｌ  Ｄｏｗｎｌｉｎｋ  Ｃｏｎｔｒｏｌ  Ｃｈａｎｎｅｌ；ＰＤＳＣＨ）を受信することによって、より具体的なシステム情報を獲得することができる（Ｓ３０２）。
【００４４】
一方、基地局に最初にアクセスしたり、信号転送のための無線リソースがない場合に、端末は、基地局に対してランダムアクセス手順（Ｒａｎｄｏｍ  Ａｃｃｅｓｓ  Ｐｒｏｃｅｄｕｒｅ；ＲＡＣＨ）を行うことができる（段階Ｓ３０３乃至段階Ｓ３０６）。そのために、端末は、物理ランダムアクセスチャネル（Ｐｈｙｓｉｃａｌ  Ｒａｎｄｏｍ  Ａｃｃｅｓｓ  Ｃｈａｎｎｅｌ；ＰＲＡＣＨ）を通じて特定シーケンスをプリアンブルとして転送し（Ｓ３０３及びＳ３０５）、ＰＤＣＣＨ及び対応するＰＤＳＣＨを通じてプリアンブルに対する応答メッセージを受信することができる（Ｓ３０４及びＳ３０６）。競合ベースＲＡＣＨの場合に、衝突解決手順（Ｃｏｎｔｅｎｔｉｏｎ  Ｒｅｓｏｌｕｔｉｏｎ  Ｐｒｏｃｅｄｕｒｅ）をさらに行うことができる。
【００４５】
上述のような手順を行った端末は、以降、一般的なアップリンク／ダウンリンク信号転送手順として、ＰＤＣＣＨ／ＰＤＳＣＨ受信（Ｓ３０７）及び物理アップリンク共有チャネル（Ｐｈｙｓｉｃａｌ  Ｕｐｌｉｎｋ  Ｓｈａｒｅｄ  Ｃｈａｎｎｅｌ；ＰＵＳＣＨ）／物理アップリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）転送（Ｓ３０８）を行うことができる。端末がアップリンクを通じて基地局に転送する、または端末が基地局から受信する制御情報は、ダウンリンク／アップリンクＡＣＫ／ＮＡＣＫ信号、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）、ＲＩ（Ｒａｎｋ  Ｉｎｄｉｃａｔｏｒ）などを含む。３ＧＰＰ ＬＴＥシステムにおいて、端末は、上記のＣＱＩ／ＰＭＩ／ＲＩなどの制御情報をＰＵＳＣＨ及び／またはＰＵＣＣＨを通じて転送することができる。
図４は、ダウンリンクサブフレームの構造を示す図である。
【００４６】
図４を参照すると、１つのサブフレームは、時間領域で２個のスロットを含む。サブフレーム内の１番目のスロットにおける先頭の最大３ＯＦＤＭシンボルが、制御チャネルの割り当てられる制御領域（ｃｏｎｔｒｏｌ  ｒｅｇｉｏｎ）に相当し、残りのＯＦＤＭシンボルがＰＤＳＣＨ（Ｐｈｙｓｉｃａｌ  Ｄｏｗｎｌｉｎｋ  Ｓｈａｒｅｄ  Ｃｈａｎｎｅｌ）の割り当てられるデータ領域に相当する。
【００４７】
３ＧＰＰ ＬＴＥで用いられるダウンリンク制御チャネルは、ＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）、ＰＤＣＣＨ（Ｐｈｙｓｉｃａｌ  Ｄｏｗｎｌｉｎｋ  Ｃｏｎｔｒｏｌ  Ｃｈａｎｎｅｌ）、ＰＨＩＣＨ（Ｐｈｙｓｉｃａｌ  Ｈｙｂｒｉｄ−ＡＲＱ  Ｉｎｄｉｃａｔｏｒ  Ｃｈａｎｎｅｌ）などがある。サブフレームの１番目のＯＦＤＭシンボルで転送されるＰＣＦＩＣＨは、サブフレーム内で制御チャネルの転送に用いられるＯＦＤＭシンボルの数（すなわち、制御領域のサイズ）に関する情報を運ぶ。ＰＤＣＣＨを通じて転送される制御情報を、ダウンリンク制御情報（Ｄｏｗｎｌｉｎｋ  Ｃｏｎｔｒｏｌ  Ｉｎｆｏｒｍａｔｉｏｎ、ＤＣＩ）と呼ぶ。ＤＣＩは、アップリンクリソース割当情報、ダウンリンクリソース割当情報及び任意の端末グループに対するアップリンク転送パワー制御命令などを指示する。ＰＨＩＣＨは、アップリンクＨＡＲＱ（Ｈｙｂｒｉｄ  Ａｕｔｏｍａｔｉｃ  Ｒｅｐｅａｔ  Ｒｅｑｕｅｓｔ）に対するＡＣＫ（Ａｃｋｎｏｗｌｅｄｇｅｍｅｎｔ）／ＮＡＣＫ（Ｎｏｔ−Ａｃｋｎｏｗｌｅｄｇｅｍｅｎｔ）信号を運ぶ。すなわち、端末の転送したアップリンクデータに対するＡＣＫ／ＮＡＣＫ信号は、ＰＨＩＣＨで転送される。
【００４８】
次に、ダウンリンク物理チャネルであるＰＤＣＣＨについて記述する。
【００４９】
ＰＤＣＣＨは、ＰＤＳＣＨのリソース割当及び転送フォーマット（これをＤＬ ｇｒａｎｔという。）、ＰＵＳＣＨのリソース割当情報（これをＵＬ ｇｒａｎｔという。）、任意の端末グループ内の個別端末に対する転送パワー制御命令の集合及びＶｏＩＰ（Ｖｏｉｃｅ  ｏｖｅｒ  Ｉｎｔｅｒｎｅｔ  Ｐｒｏｔｏｃｏｌ）の活性化などを運ぶことができる。複数のＰＤＣＣＨが制御領域内で転送されることが可能であり、端末は、複数のＰＤＣＣＨをモニタリングすることができる。ＰＤＣＣＨは、１つまたは複数の連続するＣＣＥ（Ｃｏｎｔｒｏｌ  Ｃｈａｎｎｅｌ  Ｅｌｅｍｅｎｔｓ）の集合（ａｇｇｒｅｇａｔｉｏｎ）で構成される。１つまたは複数の連続するＣＣＥの集合で構成されたＰＤＣＣＨは、サブブロックインターリービング（ｓｕｂｂｌｏｃｋ  ｉｎｔｅｒｌｅａｖｉｎｇ）を経た後に制御領域を通じて転送されることが可能である。ＣＣＥは、無線チャネルの状態に基づく符号化率をＰＤＣＣＨに提供するために用いられる論理的割当単位である。ＣＣＥは、複数のリソース要素グループ（ｒｅｓｏｕｒｃｅ  ｅｌｅｍｅｎｔ  ｇｒｏｕｐ）に対応する。ＣＣＥの数とＣＣＥにより提供される符号化率の関連関係に応じてＰＤＣＣＨのフォーマット及び可能なＰＤＣＣＨのビット数が決定される。
【００５０】
ＰＤＣＣＨを通じて転送される制御情報をダウンリンク制御情報（ｄｏｗｎｌｉｎｋ  ｃｏｎｔｒｏｌ  ｉｎｆｏｒｍａｔｉｏｎ、ＤＣＩ）という。下記表１は、ＤＣＩフォーマットによるＤＣＩを表すものである。
【００５１】
【表１】
0006017960.tif 000002
【００５２】
ＤＣＩフォーマット０は、アップリンクリソース割当情報を示し、ＤＣＩフォーマット１〜２は、ダウンリンクリソース割当情報を示し、ＤＣＩフォーマット３、３Ａは、任意の端末グループに対するアップリンクＴＰＣ（ｔｒａｎｓｍｉｔ  ｐｏｗｅｒ  ｃｏｎｔｒｏｌ）命令を示す。
【００５３】
図５は、移動通信システムの一例である３ＧＰＰ ＬＴＥシステムで用いられるダウンリンクの時間−周波数リソース格子構造（ｒｅｓｏｕｒｃｅ  ｇｒｉｄ  ｓｔｒｕｃｔｕｒｅ）を示す図である。
【００５４】
【表２】
0006017960.tif 000003
【００５５】
【表３】
0006017960.tif 000004
【００５６】
図５に示すリソースブロック（Ｒｅｓｏｕｒｃｅ  Ｂｌｏｃｋ、ＲＢ）は、ある物理チャネルとリソース要素間のマッピング（ｍａｐｐｉｎｇ）関係を記述するために用いられる。ＲＢは、物理リソースブロック（Ｐｈｙｓｉｃａｌ  Ｒｅｓｏｕｒｃｅ  Ｂｌｏｃｋ、ＰＲＢ）と仮想リソースブロック（Ｖｉｒｔｕａｌ  Ｒｅｓｏｕｒｃｅ  Ｂｌｏｃｋ、ＶＲＢ）とに区別される。
【００５７】
【表４】
0006017960.tif 000005
【００５８】
【表５】
0006017960.tif 000006
【００５９】
【表６】
0006017960.tif 000007
【００６０】
【表７】
0006017960.tif 000008
【００６１】
【表８】
0006017960.tif 000009
【００６２】
図６には、ＬＴＥで用いられるアップリンクサブフレームの構造を例示する。
【００６３】
図６を参照すると、アップリンクサブフレームは、複数のスロット（例えば、２個のスロット）で構成されている。アップリンクサブフレームは、周波数ドメイン上でデータ領域と制御領域とに区別される。データ領域は、アップリンク共有チャネル（ＰＵＳＣＨ）を含み、音声、映像などのデータ信号を転送するのに用いられ、制御領域は、アップリンク制御チャネル（ＰＵＣＣＨ）を含み、制御情報を転送するのに用いられる。ＰＵＣＣＨは、周波数軸でデータ領域の両端に位置するＲＢ対（ＲＢ  ｐａｉｒ）を含み、スロットを境界にホッピングする。制御情報は、ハイブリッド自動再送要請（Ｈｙｂｒｉｄ  Ａｕｔｏｍａｔｉｃ  Ｒｅｔｒａｎｓｍｉｔ  ｒｅＱｕｅｓｔ：ＨＡＲＱ）ＡＣＫ／ＮＡＣＫ、ダウンリンクに関するチャネル情報（以下、ダウンリンクチャネル情報またはチャネル情報）を含む。ダウンリンクチャネル情報は、ＣＱＩ、ＰＭＩ、ＲＩなどを含む。基地局は各端末から受けたダウンリンクチャネル情報を用いて各端末にデータ転送のための適宜の時間／周波数リソース、変調方法、コーディング率（ｃｏｄｉｎｇ  ｒａｔｅ）などを定める。
【００６４】
ＬＴＥシステムにおいてチャネル情報はＣＱＩ、ＰＭＩ、ＲＩなどを含み、各端末の転送モードによってＣＱＩ、ＰＭＩ、ＲＩがすべて転送されたり、その一部のみが転送されたりする。チャネル情報が周期的に転送される場合を周期的報告（ｐｅｒｉｏｄｉｃ  ｒｅｐｏｒｔｉｎｇ）といい、チャネル情報が基地局の要請に応じて転送される場合を非周期的報告（ａｐｅｒｉｏｄｉｃ  ｒｅｐｏｒｔｉｎｇ）という。非周期的報告では、基地局が送るアップリンクスケジューリング情報に含まれている要請ビット（ｒｅｑｕｅｓｔ  ｂｉｔ）が端末に転送される。すると、端末は、自身の転送モードを考慮したチャネル情報を、アップリンクデータチャネル（ＰＵＳＣＨ）を通じて基地局に伝達する。周期的報告では、各端末別に上位層信号を通じて半−静的（ｓｅｍｉ−ｓｔａｔｉｃ）方式で周期及び該周期におけるオフセットなどがサブフレーム単位でシグナリングされる。各端末は、転送モードを考慮したチャネル情報を、定められた周期によってアップリンク制御チャネル（ＰＵＣＣＨ）を通じて基地局に伝達する。チャネル情報を転送するサブフレームにアップリンクデータが同時に存在すると、チャネル情報はデータと共にアップリンクデータチャネル（ＰＵＳＣＨ）を通じて転送される。基地局は、各端末のチャネル状況及びセル内の端末分布状況などを考慮して、各端末に好適な転送タイミング情報を端末に転送する。転送タイミング情報はチャネル情報を転送するための周期、オフセットなどを含み、無線リソース制御（Ｒａｄｉｏ  Ｒｅｓｏｕｒｃｅ  Ｃｏｎｔｒｏｌ：ＲＲＣ）メッセージを通じて各端末に転送することができる。
【００６５】
従来ＬＴＥシステムでは、アップリンクまたはダウンリンクのそれぞれに対して単一搬送波（ｓｉｎｇｌｅ  ｃａｒｒｉｅｒ）が構成され、任意の端末によるＰＵＣＣＨは単一搬送波内で構成されて転送される。アップリンク転送は端末で行われるため、バッテリー消耗を小さくするために低いＰＡＰＲ（Ｐｅａｋ−ｔｏ−Ａｖｅｒａｇｅ  Ｐｏｗｅｒ  Ｒａｄｉｏ）を持つようにすることが重要であり、よって単一搬送波特性を持つ変調方式を用いてきた。
【００６６】
しかし、ＬＴＥ−ＡのようなＩＭＴ−Ａｄｖａｎｃｅｄシステムでは、端末が基地局に転送する制御情報の量がより増大することから、レガシー制御チャネルを通じたラージペイロードシンボル（ｌａｒｇｅ  ｐａｙｌｏａｄ  ｓｙｍｂｏｌｓ）を伴うことが必須となり、よって、アップリンクで制御チャネルまたは共有チャネルを通じて転送される制御情報は、結合コーディングされて転送される時にオーバーヘッドの低減及びチャネルコーディング利得の増大が可能になる。結合コーディングされた制御情報は、広帯域通信を可能にするために多重搬送波（ｍｕｌｔｉｐｌｅ  ｃａｒｒｉｅｒ）ベースの転送方式を用いることができ、単一搬送波と多重搬送波ベースの転送方式を統合して送受信する方案を考慮することができる。端末は各搬送波において選択的に動作することもでき、同時に多数の搬送波を用いて送受信することもできる。
【００６７】
ＬＴＥ−Ａシステムにおいて端末が多重搬送波を用いるようになる場合に、特定搬送波に関するスケジューリング情報を伝達する際に、該当の搬送波にスケジューリングによる制御情報を含めて転送する方法と、他の搬送波で該当の搬送波に関する制御情報を伝達する方法とに分類することができる。
【００６８】
該当の搬送波で搬送波スケジューリングに関する制御情報を転送する方法は、含まれている制御情報自体が当該搬送波に関するものであることを示すので、搬送波指示対象が特定される。一方、他の搬送波に含まれて転送される制御情報を通じて特定される搬送波の場合は、該制御情報にはどの搬送波を特定するかを示す指示情報が必要である。
このように、搬送波スケジューリングによって特定搬送波を他の搬送波と区別するために転送する識別情報を含むフィールドを、搬送波指示フィールド（Ｃａｒｒｉｅｒ  Ｉｎｄｉｃａｔｉｏｎ  Ｆｉｅｌｄ：ＣＩＦ）と定義することができる。ＣＩＦには、既に設定された個数のビットが割り当てられ（例えば、３ビット）、特定しようとする搬送波のインデックスを指定することができる。
【００６９】
基地局から端末別に搬送波スケジューリングによる搬送波識別情報のような制御情報が転送される際に、ＣＩＦフィールドは、全体搬送波のうち、割り当てようとする特定搬送波の識別情報（例えば、該当の搬送波のインデックス情報）を含むことができる。
さらに、本発明では、ＣＩＦを通じて転送しようとする搬送波識別情報により搬送波インデックスに関するオフセット値を決定する方法、搬送波識別情報により、該当の搬送波がダウンリンクに該当するか、またはアップリンクに該当するかを判断する方法、及びＣＩＦを通じて転送される搬送波識別情報を解析する方法などを提案する。
【００７０】
１．第１実施例（ＣＩＦを通じて搬送波オフセット値を転送）
【００７１】
本発明の一実施例によれば、基地局は、搬送波スケジューリングによって特定端末に対して指定される搬送波のインデックス情報をオフセット値として示すことができる。ＣＩＦがオフセット値と解析されると、搬送波を特定するオフセット値は、基準になる搬送波を中心にして特定搬送波を指示する指示情報になりうる。すなわち、ある任意の搬送波の位置を基準に、指定しようとする搬送波の位置までの間隔またはインデックス差をオフセット値で示すことができる。
【００７２】
図７は、本発明の一実施例に係る基地局が端末に搬送波スケジューリングに関する搬送波識別情報を転送する手順の一例を示すフローチャートである。
【００７３】
図７を参照すると、基地局は該当の端末に対して一定範囲内のダウンリンク搬送波及び／またはアップリンク搬送波を割り当てる搬送波スケジューリングを行う（Ｓ７０１）。
【００７４】
スケジューリング過程において、基地局はＣＩＦを通じて割り当てられる搬送波に関する識別情報をオフセット値として示すために、オフセット値の基準になる搬送波を決定する。以下、本発明の明細書では、オフセット値の基準になる搬送波を「基準搬送波」と呼ぶ。基準搬送波を決定する方法は様々に構成することができる。例えば、搬送波の種類によって様々に構成することもでき、セル−特定（ｃｅｌｌ−ｓｐｅｃｉｆｉｃ）にまたは端末−特定（ＵＥ−ｓｐｅｃｉｆｉｃ）に基準搬送波を決定することもできる。本発明でいう「オフセット」は、基地局が該当の端末に指定しようとする特定搬送波を示すための識別情報で、基準搬送波のインデックスを基準にインデックス間の差のことを指す。オフセット値は、インデックス値の差を示す絶対的な値と決定したり、または、基準搬送波から指定搬送波を特定するための相対的な値と決定したりすることができる。
【００７５】
そして、決定された基準搬送波に基づいて特定しようとする搬送波に対するオフセット値を決定し、ＣＩＦを構成する。オフセット値の適用には様々な方法を用いることができる。
【００７６】
また、基地局は、オフセット値の適用時に、ＣＩＦを受信した端末でオフセット値を用いて割り当てられた搬送波の位置を識別する過程において搬送波タイプによって搬送波インデックスカウントを様々に具現できるように計算することができる。
【００７７】
搬送波スケジューリング過程でＣＩＦのオフセット値を構成する方法については、簡略に後述する。
【００７８】
次に、基地局は、スケジューリング過程で、端末に割り当てられた搬送波または搬送波アグリゲーションの構成情報を転送しながら、基準搬送波に関する識別情報及び当該端末に割り当てられた複数の搬送波に関するインデックスマッピング情報を転送することができる（Ｓ７０２）。この時、基準搬送波及び複数の搬送波に関するインデックスマッピング情報は、別途のアップリンクシグナリングを通じて伝達することができる。段階Ｓ７０２は、静的（ｓｔａｔｉｃ）にまたは半−静的（ｓｅｍｉ−ｓｔａｔｉｃ）に設定することができる。その後、基地局は、当該端末に対して使用しようとする複数の搬送波のうち、現在指定しようとする特定搬送波に関する識別情報を含むＣＩＦを、他のダウンリンク搬送波を通じて端末に転送する（Ｓ７０３）。この時、ＣＩＦに含まれている搬送波識別情報は、搬送波インデックス間のオフセット値で示すことができる。
【００７９】
端末は、受信した搬送波インデックスマッピング情報に基づき、受信したＣＩＦに含まれている搬送波識別情報を解析し、当該端末に割り当てられた特定搬送波の周波数位置情報を導出することができる（Ｓ７０４）。この時、端末は、ＣＩＦを通じたオフセット値を用いて搬送波位置を導き出す過程において、搬送波タイプによってカウンティング動作を様々に構成することができる。例えば、搬送波タイプがスケジューリングＣＣ、非−旧互換ＣＣ、拡張ＣＣのいずれか一つ以上に該当するか否かによって、受信したＣＩＦを通じて獲得したオフセット値を用いて基地局が指定しようとする特定ＣＣを探すカウンティング方法を別々に適用することができる。
【００８０】
その後、端末は、指定されたダウンリンク搬送波及び／またはアップリンク搬送波を通じてデータを受信したり転送することができる（Ｓ７０５）。
【００８１】
以下、基地局が搬送波スケジューリング過程（Ｓ７０１）で該当の端末に割り当てた搬送波に関する位置情報を伝達するためにＣＩＦを構成する段階について簡略に説明する。
【００８２】
（１）基準搬送波の決定
【００８３】
本発明の一実施例に係る基地局は、任意に基準搬送波を設定し、特定搬送波に対するオフセット値を示すことができる。基準搬送波は、基地局で全ての端末に対して固定的に決定してもよく、端末別に任意的、時変的に決定してもよい。
【００８４】
Ａ．ＣＩＦが転送される搬送波のタイプを考慮して基準搬送波として決定
【００８５】
基地局は、ＣＩＦが転送される搬送波を基準搬送波と決定することができる。
ＬＴＥ−Ａシステムでは要求される性能を満たすために帯域幅を拡張するが、端末が使用できる単位搬送波をコンポーネント搬送波（Ｃｏｍｐｏｎｅｎｔ  Ｃａｒｒｉｅｒ：ＣＣ）と定義する。ＬＴＥ−Ａシステムでは、このようなＣＣを最大５個までまとめて考慮することができ、最大１００ＭＨｚまでの帯域幅を持つように拡張することができる。ただし、以下、本明細書では搬送波とＣＣを同じ意味として混用することもある。
搬送波は、その特性によって、互換搬送波（ｂａｃｋｗａｒｄ  ｃｏｍｐａｔｉｂｌｅ  ｃａｒｒｉｅｒ）、非互換搬送波（ｎｏｎ−ｂａｃｋｗａｒｄ  ｃｏｍｐａｔｉｂｌｅ  ｃａｒｒｉｅｒ）及び拡張搬送波（ｅｘｔｅｎｓｉｏｎ  ｃａｒｒｉｅｒ）に分類することができる。本発明の一実施例に係る基地局は、ＣＩＦの転送される搬送波が互換搬送波、非互換搬送波及び拡張搬送波のいずれかに該当するかを考慮して基準搬送波を決定することができる。
【００８６】
互換搬送波（ｂａｃｋｗａｒｄ  ｃｏｍｐａｔｉｂｌｅ  ｃａｒｒｉｅｒ）は、既存のレガシーシステムを支援する搬送波で、存在するいかなるＬＴＥ端末も接続可能な搬送波と定義することができる。互換搬送波は、単一搬送波または搬送波アグリゲーションの一部として動作することができ、ＦＤＤ方式ではいつも一対（例えば、アップリンク及びダウンリンク）として存在する。ＣＩＦの転送される搬送波が互換搬送波である場合に、ＣＩＦを転送するのに用いられる搬送波を基準搬送波と決定することができる。
【００８７】
非互換搬送波（ｎｏｎ−ｂａｃｋｗａｒｄ  ｃｏｍｐａｔｉｂｌｅ  ｃａｒｒｉｅｒ）は、既存のレガシーシステムに属している端末は接続できない搬送波、すなわち、レガシーシステムと現在のシステムで互換して使用できない搬送波と定義することができる。非互換搬送波は、既存のシステムと現在システム間の互換ができない特性が、デュプレックス距離に起因する場合は、単一搬送波と動作することができ、そうでない場合は、搬送波アグリゲーションの一部として動作することができる。ＣＩＦの転送される搬送波が非互換搬送波である場合に、当該搬送波を基準搬送波と決定してもよく、または、他の互換搬送波を基準搬送波と決定してもよい。
【００８８】
拡張搬送波（ｅｘｔｅｎｓｉｏｎ  ｃａｒｒｉｅｒ）は、単一搬送波としては動作できず、帯域幅拡張用にのみ用いられる搬送波と定義することができる。
【００８９】
具体的に、ＬＴＥ Ｒｅｌ−８搬送波と同じ形態の物理チャネル及び物理信号の定義により当該搬送波単独で任意のセル、基地局またはリレーノード上の端末への基本的な接続、セル探索及びシステム情報転送を行えるようにする搬送波をスタンド−アロン（ｓｔａｎｄ−ａｌｏｎｅ）搬送波と定義すれば、スタンド−アロン搬送波は、上述した互換搬送波または非互換搬送波を含む。一方、スタンド−アロン搬送波の特性と異なり、上記の過程を支援しない非（ｎｏｎ）−スタンド−アロン特性を持つ搬送波を拡張搬送波と定義することができる。
【００９０】
ＣＩＦの転送される搬送波が拡張搬送波である場合に、当該搬送波を基準搬送波と決定することができない。この場合、基地局は、他の互換搬送波または非互換搬送波を基準搬送波と決定すればいい。
【００９１】
Ｂ．セル−特定（ｃｅｌｌ−ｓｐｅｃｉｆｉｃ）に基準搬送波を決定
【００９２】
本発明の一実施例に係る基地局は、セル−特定に基準搬送波を決定することができる。セル特定基準搬送波と決定する場合に、当該セル内に位置する端末はいずれも、同じ基準搬送波を基準に、各端末別にスケジューリングされた搬送波に対するオフセット値を導出することができる。
【００９３】
Ｃ．端末−特定（ＵＥ−ｓｐｅｃｉｆｉｃ）に基準搬送波を決定
【００９４】
端末−特定に基準搬送波を決定することができる。この場合、端末別に区別される独立した基準搬送波を決定したり、または、セル内の端末の位置を考慮して隣接していない端末に対しては同じ基準搬送波を決定するように構成することができる。
【００９５】
このように、セル−特定基準搬送波または端末−特定基準搬送波と決定する場合に、アンカー搬送波、主搬送波を優先的に考慮して基準搬送波と決定することができる。
【００９６】
ＣＩＦを通じて特定搬送波に対するオフセット値を伝達する方式は、ダウンリンク搬送波の他、アップリンク搬送波にも適用することができる。
【００９７】
アップリンクでは、特定アップリンク搬送波を基準搬送波と決定し、該当の端末に特定しようとするアップリンク搬送波に対するオフセット値を示すことができる他、特定ダウンリンク搬送波に関する周波数上の位置情報を基準に、当該ダウンリンク搬送波に関連しているアップリンク搬送波に関する情報を導出することができる。
【００９８】
例えば、既存の方式によってＤＣＩを通じて転送されるＤＬ ＣＣに関する識別情報または本発明の一実施例によってＣＩＦを通じて転送されるＤＬ ＣＣに関する識別情報を通じて特定ＤＬ ＣＣを見出し、該ＤＬ ＣＣと関連しているＵＬ ＣＣを見出すことができる。すなわち、ＤＣＩまたはＣＩＦを通じて転送されるＤＬ ＣＣに関する識別情報をＵＬ ＣＣに関する識別情報として解析しながら、ＵＬ ＣＣに関する別途の識別情報を転送しなくてもよい。または、端末に別途のシグナリングで転送される特定ＤＬ ＣＣに関する情報を用いて、該ＤＬ ＣＣと関連しているＵＬ ＣＣに関する情報を導出することもできる。
【００９９】
ただし、基地局は端末に特定ＤＬ ＣＣに関連しているＵＬ ＣＣに関する情報を伝達する必要があり、端末−特定、端末グループ−特定、搬送波−特定、システム−特定などに区別して情報を伝達することができる。
【０１００】
（２）オフセット値の決定
【０１０１】
本発明の一実施例に係る基地局は、搬送波スケジューリングによって該当の端末に指定しようとするダウンリンク搬送波またはアップリンク搬送波に関する情報をオフセット値としてＣＩＦを通じて伝達することができる。
【０１０２】
搬送波に対するオフセット値の決定は、例えば、基準搬送波を一定の定数値と設定し（例えば、「０」に設定）、基準搬送波にオフセット値を加算することで特定搬送波のインデックス情報を導出するように設定することができる。ここで、オフセット値は、正／負（＋／−）の値の少なくとも一つで表すことができる。
【０１０３】
オフセット値の決定は、基準搬送波の位置及び指定しようとする搬送波の位置を考慮して正／負（＋／−）の値の少なくとも一つで表すことができる。
【０１０４】
決定された搬送波のオフセット値が端末−特定構成ＣＣセット（ＵＥ−ｓｐｅｃｉｆｉｃ  ｃｏｎｆｉｇｕｒｅｄ  ＣＣ  ｓｅｔ）の範囲を超える場合もあり、システム−特定構成ＣＣセット（ｓｙｓｔｅｍ−ｓｐｅｃｉｆｉｃ  ｃｏｎｆｉｇｕｒｅｄ  ＣＣ  ｓｅｔ）を超える場合もある。この場合に、端末がＣＩＦを通じて受信した搬送波インデックスと関連したオフセット情報を適切に解析できるように、基地局は、端末−特定構成ＣＣセット（ＵＥ−ｓｐｅｃｉｆｉｃ  ｃｏｎｆｉｇｕｒｅｄ  ＣＣ  ｓｅｔ）でラウンドロビン（ｒｏｕｎｄ  ｒｏｂｉｎ）形態で搬送波インデクシングを行うことができる。または、システム−特定構成ＣＣセット（ｓｙｓｔｅｍ−ｓｐｅｃｉｆｉｃ  ｃｏｎｆｉｇｕｒｅｄ  ＣＣ  ｓｅｔ）でラウンドロビン形態で搬送波インデクシングを行うこともできる。
【０１０５】
ここで、ラウンドロビン方式は循環順序方式と同じ意味であり、ラウンドロビン方式によってインデクシングを行う場合に、ＣＣグループ内に属している全てのＣＣに特定順序で順次インデックスをマッピングすることができる。
【０１０６】
（３）搬送波タイプを考慮して搬送波インデックスを決定
【０１０７】
本発明の一実施例に係る基地局は、端末がＣＩＦを通じて転送された搬送波識別情報であるオフセット値を適用して指定される搬送波を探すための搬送波インデックスカウント動作を、搬送波タイプによって別々に適用するように、ＣＩＦを構成することができる。すなわち、搬送波タイプによってカウントを行う必要がない場合に、搬送波カウント過程を行う場合に比べて、ＣＩＦに割り当てられたビットよりも少ないビットをインデクシング過程に用いることができる。基地局がスケジューリング動作で考慮できる搬送波タイプには、上述の互換ＣＣ、非互換ＣＣ及び拡張ＣＣを挙げることができる。以下、基地局の搬送波スケジューリング動作において、対象とする搬送波タイプによってＣＩＦ上で特定搬送波をインデクシングする方法について説明する。以下のインデクシング過程は、図７の段階Ｓ７０１におけるスケジューリング過程で行うことができる。
【０１０８】
Ａ．互換ＣＣ
【０１０９】
基地局が搬送波スケジューリング過程においてクロススケジューリング時に互換ＣＣのみを対象とする場合に、オフセットの計算において全ての互換ＣＣを順にカウントするように搬送波をインデクシングすることができる。クロススケジューリングの場合に、スケジューリング情報を伝達するのに利用できるスケジューリングＣＣと、スケジューリング動作によってスケジューリングされたスケジュールドＣＣの関係が存在する。そのため、本発明の一実施例によってＣＩＦを通じて転送される互換ＣＣは、スケジュールドＣＣであり、ＣＩＦ転送に用いられるＣＣはスケジューリングＣＣと見なすことができる。互換ＣＣは、スケジューリングＣＣまたはスケジュールドＣＣに該当する。基地局のスケジューリング動作によって該当の端末にスケジューリングされた互換ＣＣは、スケジュールドＣＣと呼ぶことができる。以下、本発明の明細書で言及される互換ＣＣは、スケジュールドＣＣに該当するものとする。
【０１１０】
Ｂ．互換ＣＣ（スケジュールドＣＣ）及び拡張ＣＣ
【０１１１】
基地局は、搬送波スケジューリング過程において互換ＣＣを全て含むか、または、一つの互換ＣＣとその周辺の拡張ＣＣを一つのグループにしてインデクシングすることができる。例えば、基地局がクロス−搬送波スケジューリングを行う場合に、他の互換ＣＣに対してはクロス−搬送波スケジューリングを行わず、拡張ＣＣに対してのみダウンリンククロス−搬送波スケジューリングを行うことができる。この時、拡張ＣＣのうち、ＣＩＦ転送に用いられる互換ＣＣの周辺に存在する拡張ＣＣのみを対象にスケジューリングを行ってもよく、または他の互換ＣＣ周辺の拡張ＣＣまで含めてスケジューリングを行ってもよい。また、互換ＣＣの中でもＰＤＣＣＨモニタリングセットに含まれていない互換ＣＣは拡張ＣＣと見なし、オフセット値を決定してカウントを行うことができる。
【０１１２】
Ｃ．互換ＣＣ（スケジュールドＣＣ）及び非互換ＣＣ
【０１１３】
基地局は、非互換ＣＣに対するスケジューリングを行うことができない場合に、拡張ＣＣと見なしてオフセットに対するインデクシングを行うことができる。または、非互換ＣＣに対するスケジューリングが可能である場合にも、実際にＰＤＣＣＨモニタリングセットが設定される方式によって非互換ＣＣを拡張ＣＣと見なし、該当の端末に使用しようとする複数のＣＣに対するインデクシングを行うことができる。すなわち、特定ＣＣに対してはＰＤＣＣＨモニタリングを行わない場合に、これらのＣＣに対するＰＤＣＣＨは、他の搬送波を通じて転送される制御チャネルから受信しなければならない。
【０１１４】
基地局は、搬送波スケジューリング過程で、互換ＣＣまたは非互換ＣＣのみを考慮してオフセットカウンティングを行うようにスケジューリングすることができる他、ＰＤＣＣＨを受信できる対象となるＣＣとＰＤＣＣＨを受信できないＣＣとを区別してインデクシングを行うこともできる。すなわち、上述した実施例の互換ＣＣ及び拡張ＣＣを対象にスケジューリングする場合においても、ＰＤＣＣＨを受信できるＣＣ及びＰＤＣＣＨを受信できないＣＣに区別して定義することができる。この時、基地局は、搬送波スケジューリング過程で、ＰＤＣＣＨ受信ＣＣ周辺のＰＤＣＣＨを受信できないＣＣに対してはカウンティングを行ってインデクシングしたり、または、全てのＰＤＣＣＨを受信できないＣＣに対してのみカウンティングを行ってスケジューリングすることができる。
【０１１５】
Ｄ．非互換ＣＣ及び拡張ＣＣ
【０１１６】
非互換ＣＣは、少なくとも、基地局で搬送波スケジューリング動作による制御情報を伝達するための制御チャネル構造を持っているため、基地局は、特定非互換ＣＣを対象に他の搬送波に対してもクロス−搬送波スケジューリング動作を行うことができる。
【０１１７】
したがって、本発明の一実施例に係る基地局が非互換ＣＣ及び拡張ＣＣを対象にスケジューリングを行う場合に、非互換ＣＣはいずれもスケジューリング情報を伝達できるという仮定下に、拡張ＣＣに対しては、スケジューリング情報を伝達するのに用いられる非互換ＣＣを基準にオフセットを決定することができる。この時、非互換ＣＣのうち、スケジューリング情報伝達に用いられない非互換ＣＣに対しては拡張ＣＣと見なしてオフセットを決定することができる。
【０１１８】
Ｅ．互換ＣＣ（スケジューリングＣＣ）、非互換ＣＣ及び拡張ＣＣ
【０１１９】
基地局は、互換ＣＣ、非互換ＣＣ及び拡張ＣＣを対象に搬送波スケジューリングを行う場合に、スケジューリング情報伝達に用いられるＣＣとスケジューリング情報伝達に用いられないＣＣとに大別して定義することができる。すなわち、上述した例と同様に、スケジューリング情報を伝達するのに用いられるＣＣ（例えば、スケジューリング情報伝達に用いられる互換ＣＣ及び非互換ＣＣ）を基準にオフセット値を決定することができる。
【０１２０】
Ｆ．ＵＬ ＣＣに対するＣＩＦ構成
【０１２１】
本発明の一実施例によれば、アップリンクでは、ダウンリンクとは違い、スケジューリング対象になるＣＣに関するスケジューリング情報の転送有無を考慮せずに、単にＣＩＦを通じて端末が使用できるＵＬ ＣＣセットに対する指示子を伝達するものと該当の搬送波を特定することができる。
【０１２２】
ＵＬ ＣＣに対しても、該当の端末に割り当てることができる全てのＵＬ ＣＣに対して順にカウンティングしてインデクシングすることができる。この時、ＵＬ ＣＣの個数が一定個数を超え、ＣＩＦフィールドを通じて転送できるオフセット範囲から外れる場合に、ダウンリンクでスケジューリングする過程と類似に、互換ＣＣで構成されたＵＬ ＣＣを基準にスケジューリングしたり、互換ＣＣ及びそれに隣接した非互換ＣＣで構成されたＵＬ ＣＣを基準にスケジューリングしたりすることができる。この時、該当の端末に対するＵＬ ＣＣの総個数が一定個数（例、３個）以上と定められた場合に、ＣＩＦ範囲内でオフセットインデクシングを行うために、ＵＬ ＣＣの総個数を超える他のＵＬ ＣＣは除いてオフセットインデクシングを行うことができる。オフセットインデクシングで除外されたＵＬ ＣＣに対しては、他のスケジューリングが可能なＤＬ ＣＣでクロス−搬送波スケジューリングを行う形態でインデクシングして該当の情報を伝達することができる。すなわち、ＤＬ ＣＣに関するた搬送波インデクシング情報を用いて特定されるＤＬ ＣＣに関連しているＵＬ ＣＣを導出する形態でＵＬ ＣＣに関する情報を知らせることができる。
【０１２３】
このように、本発明の実施例によってＣＩＦをオフセット値で解析する場合に、端末の立場では、特定ＤＬ ＣＣを通じて受信するＣＩＦが示す範囲は、他のＤＬ ＣＣを通じて受信したＣＩＦが示す範囲と重なる場合がある。これを防止するために、いずれか一つのＤＬ ＣＣで転送するＣＩＦが示す範囲は、他のＤＬ ＣＣで転送するＣＩＦが示す範囲と重ならないように定義することができる。この場合、スケジューリング情報が伝達されるＤＬ ＣＣの個数が２個以上であれば、互いに区別されるＣＣセットに対して同じ基準搬送波を基準にオフセット値を通じたインデクシングが可能である。また、ＣＩＦを通じて転送する情報が、実際に指定しようとする搬送波のインデックス情報であるか、または、本発明の実施例によるオフセット値であるかにかかわらずに、クロス搬送波スケジューリングの行われたセットで構成できない場合がありうる。例えば、端末に構成されたＣＣセット内で一部が独立して非−クロス搬送波スケジューリングを用いたり、または、マシンタイプ通信（ｍａｃｈｉｎｅ  ｔｙｐｅ  ｃｏｍｍｕｎｉｃａｔｉｏｎ）のような変形された通信方式を用いる場合が、クロス搬送波スケジューリングの行われたセットで構成できない場合に相当する。この場合は、クロス搬送波スケジューリングするＣＣセットで一部ＣＣを排除してオフセット計算を行ったり、インデクシングを定義することができる。
【０１２４】
２．第２実施例（ＣＩＦを通じたＤＬ ＣＣ／ＵＬ ＣＣの区別）
【０１２５】
本発明の一実施例によってＣＩＦを構成するにあって、ＤＬ ＣＣ内でのみ構成したり、ＵＬ ＣＣ内でのみ構成したり、またはＤＬ ＣＣ及びＵＬ ＣＣをまとめて構成できるため、ＣＩＦを解析する方法においてＤＬ ＣＣ及びＵＬ ＣＣを区別することができる。
【０１２６】
例えば、一つのＰＤＣＣＨを複号して受信する制御情報が、どのリンクにおける搬送波に関する制御情報かを知るために、クロス搬送波の観点で区別される点、及びダウンリンク／アップリンクの観点で区別される点の２つの観点で解析することができ、ＤＬ ＣＣ／ＵＬ ＣＣをまとめて解析すると、このような２つの観点での解析を解決することができる。
【０１２７】
本発明の一実施例によってＣＩＦを通じてＤＬ ＣＣ及びＵＬ ＣＣを区別できる制御情報を転送する過程について、図８を参照して説明する。
【０１２８】
図８は、本発明の一実施例に係る基地局が端末に搬送波スケジューリングに関する搬送波識別情報を転送する手順の一例を示すフローチャートである。
【０１２９】
図８を参照すると、本発明の一実施例に係る基地局は、搬送波アグリゲーション状況で該当の端末が使用する搬送波をスケジューリングする（Ｓ８０１）。
【０１３０】
この時、搬送波または搬送波アグリゲーションスケジューリングを行いながら、所定マッピング規則に従ってＤＬ ＣＣ及び／またはＵＬ ＣＣのインデックスを指定し、該当の端末に指示しようとする特定ＣＣに対するインデックスを指示するＣＩＦを構成することができる。
【０１３１】
ＣＩＦにマッピングされる搬送波は、ＵＬ ＣＣ及び／またはＤＬ ＣＣを含むことができ、所定のマッピング規則に従ってＣＩＦが示すそれぞれの値はＣＣ別に異なるように設定されるとよい。
【０１３２】
上記所定のマッピング規則は、基地局で任意に決定したり、既に設定されているもので、マッピング規則の一例としては、ＤＬ ＣＣは低いインデックスにマッピングし、ＵＬ ＣＣは高いインデックスに順にマッピングする方式を挙げることができる。他の例として、ＵＬ ＣＣは低いインデックスにマッピングし、ＤＬ ＣＣは高いインデックスにマッピングする方式を用いてもよい。さらに他の例としては、ＤＬ及びＵＬを区別することなく任意の順にインデクシングしてＣＩＦ値として構成し、マッピングすることができる。この場合、ＣＩＦで示すオフセット値により導出される特定搬送波に対しては、ＤＬもＵＬも関連付けることで、一貫した一つのオフセット計算方法で特定搬送波を計算することができる。
【０１３３】
例えば、ＣＩＦフィールドを３ビットで構成すると、最大８個の搬送波を特定することができる。該当の端末に対して使用する総８個のＣＣを、５個のＤＬ ＣＣ及び３個のＵＬ ＣＣで構成する場合に、所定マッピング規則に従ってＤＬ ＣＣには低いインデックスを指定し、ＵＬ ＣＣには高いインデックスを指定すると、総８個のＣＣは｛ＤＬ ＣＣ１，ＤＬ ＣＣ２，ＤＬ ＣＣ３，ＤＬ ＣＣ４，ＤＬ ＣＣ５，ＵＬ ＣＣ６，ＵＬ ＣＣ７，ＵＬ ＣＣ８｝のようにインデクシングすることができる。
【０１３４】
ＣＩＦを通じてＤＬ ＣＣ及びＵＬ ＣＣを区別するためには、ＤＬ ＣＣ及びＵＬ ＣＣ間に独立した区別が必要である。
【０１３５】
このようなＤＬ ＣＣ／ＵＬ ＣＣに対してＤＬ及びＵＬを区別して一つに順次にインデックスするというインデックスマッピング情報を、搬送波または搬送波アグリゲーション構成情報と共に端末に転送することができる（Ｓ８０２）。または、該インデックスマッピング情報を、搬送波アグリゲーション構成情報転送段階の前後に、別途の上位層シグナリングを通じて転送してもよい。
【０１３６】
その後、基地局は、該当の端末に対して使用しようとする複数のＤＬ ＣＣ及びＵＬ ＣＣのうち、現在指定しようとする特定ＣＣに関する識別情報及びＣＩＦを、他のＤＬ ＣＣを通じて端末に転送する（Ｓ８０３）。
【０１３７】
上記段階Ｓ８０１において上述の実施例によって基地局が｛ＤＬ ＣＣ１，ＤＬ ＣＣ２，ＤＬ ＣＣ３，ＤＬ ＣＣ４，ＤＬ ＣＣ５，ＵＬ ＣＣ６，ＵＬ ＣＣ７，ＵＬ ＣＣ８｝のようにインデクシングされる８個のＣＣを対象にＣＩＦを構成した場合を仮定する。基地局は、ＣＩＦ値を通じて、特定しようとする搬送波がアップリンクのものかダウンリンクのものかを示すことができる。
【０１３８】
また、ＣＩＦ値で示す搬送波識別情報は、基準搬送波のインデックスを基準に計算したオフセット値で示すことができる。例えば、上記実施例において、ＣＩＦの含まれているＣＣ（ＤＬ ＣＣ４）を基準搬送波と決定し、ＵＬ ＣＣ７を示そうとする場合に、ＣＩＦを通じたオフセット値を（＋）３と設定することができる。または、同じ状況でＤＬ ＣＣ１を特定しようとする場合は、ＣＩＦを通じたオフセット値を（−）３とすることができる。この時、ＣＩＦに割り当てられたビット数において特定（例、１番目）ビットを用いてオフセット値の符号を示すことができ、例えば、正のオフセットの場合は、１番目のビットを１に設定し、負のオフセット値の場合は、１番目のビットを０に設定することができる。
【０１３９】
これを受信した端末は、あらかじめ転送されたＣＣインデックスマッピング情報に基づき、受信したＣＩＦを通じて端末が使用できるＣＣを解析することができる（Ｓ８０４）。
【０１４０】
例えば、端末がグラントと共に受信したＣＩＦ値が１〜５のいずれか一つを示すと、これはＤＬ ＣＣに関する識別情報であることがわかり、ＣＩＦ値が６〜８のいずれか一つを示すと、これはＵＬ ＣＣに関する識別情報であることがわかる。これは、基準点を「０」とし、オフセット値で示したものといえる。
【０１４１】
他の例として、上述した実施例において、基準点になるＣＣから該当のオフセット値で特定するＣＣがＵＬ ＣＣかまたはＤＬ ＣＣかを判別することも可能である。Ｓ８０３で上述したように、基地局が基準搬送波としてＣＩＦの転送される搬送波を決定し、ＣＩＦの含まれているＣＣがＤＬ ＣＣ４であれば、ＣＩＦを通じたオフセット値が（＋）３の場合はＵＬ ＣＣ７を示すと見なし、当該グラントはアップリンクに該当すると解析することができる。または、同じ状況でＣＩＦを通じたオフセット値が（−）３であれば、ＤＬ ＣＣ１を示すと見なし、当該グラントはダウンリンクに該当すると解析することができる。
【０１４２】
その後、端末は、受信したＣＩＦの解析を通じて使用しようとするＤＬ ＣＣ及び／またはＵＬ ＣＣに関する情報に基づいて指定されたＣＣを通じてダウンリンクデータを受信したりアップリンクデータを転送したりすることができる（Ｓ８０５）。
本発明の実施例によってＣＩＦ値を通じてＤＬ ＣＣ及びＵＬ ＣＣの区別及び特定されるＣＣに関する情報を導出することができるため、当該ＤＣＩフォーマットがダウンリンク用ＤＣＩかまたはアップリンク用ＤＣＩかを区別して知らせる別途のフィールドをＣＩＦに含まなくてすむ。
【０１４３】
図８で、ＣＩＦ上でＤＬ ＣＣ及びＵＬ ＣＣの区別を可能にするためには、ＤＬ ＣＣ及びＵＬ ＣＣがジョイントしないようにマッピングしなければならず、上述した本発明の第１実施例において基準搬送波決定方式、オフセット値決定方式、搬送波タイプによるオフセット値決定方式などを用いることができる。
【０１４４】
３．第３実施例（ＣＩＦ値を通じて多数のＣＣグループ搬送波情報として再使用）
【０１４５】
上述した本発明の実施例に係るＣＩＦは、各端末の性能によらず、割り当てられたビット数によって特定される搬送波個数が制限されることがある。例えば、ＣＩＦに３ビットを割り当てる場合に、基地局は最大８個の搬送波に関する識別情報を端末に伝達することができる。
【０１４６】
そこで、本発明の他の実施例では、アップリンクまたはダウンリンクに対してＣＩＦのビット数を、端末の性能によって流動的に定義することができる。ＣＩＦに割り当てられるビット数が増加すると、基地局が端末に指定できるＣＣの個数も増加する。この時、当該端末で使用できる複数のＣＣを多数のグループに分類してグループ単位にＣＩＦ値を構成することができる。
【０１４７】
これにより、多数のＣＣグループ（または、多数のＰＤＣＣＨ）に対するスケジューリング時に、いずれか一つのグループに対して構成したＣＩＦに設定したビット値を、他のＣＣグループに属している搬送波識別情報として活用できるように構成することができる。図９は、本発明の一実施例に係る基地局が端末に搬送波スケジューリングに関する搬送波識別情報を転送する手順の他の例を示すフローチャートである。
【０１４８】
図９を参照すると、本発明の一実施例に係る基地局は、該当の端末が使用する搬送波または搬送波アグリゲーションをスケジューリングする（Ｓ９０１）。
【０１４９】
この時、基地局は、アップリンクまたはダウンリンクで多数の搬送波グループに対する制御情報転送のためにＣＩＦを新しく定義することができる。例えば、端末に使用する多数のＤＬ ＣＣグループのいずれか一つのＤＬ ＣＣグループを基準に、ＣＩＦに割り当てられるビット数を新しく定義しながら、定義されたＣＩＦに設定されるビット値が他のＤＬ ＣＣグループのスケジューリング情報として再使用されるように構成することができる。この時、新しく定義されるＣＩＦを、ＰＤＣＣＨスケジューリングＣＣ−特定（ｓｃｈｅｄｕｌｉｎｇ  ＣＣ−ｓｐｅｃｉｆｉｃ）ＣＩＦと見なすことができる。
【０１５０】
例えば、ＤＬ ＣＣ１〜ＤＬ ＣＣ１０を含むＣＣグループＡに関するスケジューリング情報がＤＬ ＣＣ１を通じて伝達され、ＣＣグループＡとジョイントされていないＤＬ ＣＣ１１〜ＤＬ ＣＣ２０を含むＣＣグループＢに関するスケジューリング情報は、ＤＬ ＣＣ１１を通じて伝達されるとすれば、ＤＬ ＣＣ１及びＤＬ ＣＣ１１を通じて転送するＣＩＦ値が同一に設定されても、各グループで特定されるＤＬ ＣＣは区別可能である。すなわち、ＣＣグループＡで基準ＣＣとしてＤＬ ＣＣ１を指定し、ＣＩＦを通じたオフセット値を８とした場合に、指定される特定ＤＬ ＣＣはＤＬ ＣＣ９に関する識別情報として解析することができる。この時、同じＣＩＦ値をＣＣグループＢに適用すると、ＤＬ ＣＣ１１を基準にＤＬ ＣＣ１９に関する識別情報として再解析することができる。したがって、一つのＤＬ ＣＣを通じて転送するＣＩＦ値を用いて２以上のＣＣを指示することができる。その後、基地局は端末に搬送波または搬送波アグリゲーション構成情報を転送しながら、当該端末に対して使用可能な複数のＣＣに関するインデックスマッピング情報を共に転送することができる（Ｓ９０２）。同様に、このＣＣインデックスマッピング情報も、搬送波アグリゲーションに関する構成情報転送段階の前後に、別途の上位層シグナリングを通じて転送することができる。
【０１５１】
その後、基地局は、該当の端末に対して使用しようとする互いに異なるＣＣグループに適用されうるＣＩＦを構成し、ＤＬ ＣＣを通じて端末に転送する（Ｓ９０３）。この時、ＣＩＦに含まれている搬送波識別情報は、基準搬送波インデックスを基準に計算したオフセット値で示すことができる。
【０１５２】
ＣＩＦを受信した端末は、あらかじめ受信したＣＣインデックスマッピング情報に基づいて受信したＣＩＦを解析し、ダウンリンクまたはアップリンク上で端末が使用できる一つ以上のＣＣグループ及び各グループにおける搬送波情報を導出することができる（Ｓ９０４）。すなわち、同じＣＩＦ値をＣＣグループＡに対する搬送波識別情報として解析しながら、他のＣＣグループＢに対する搬送波識別情報として再解析することができる。
【０１５３】
その後、端末は、受信したＣＩＦによって指定される一つ以上のＤＬ ＣＣグループを通じてダウンリンクデータを受信したり、または、一つ以上のＵＬ ＣＣグループを通じてアップリンクデータを転送したりすることができる（Ｓ９０５）。
【０１５４】
このような本発明の第３実施例でも、上記第１実施例で上述した基準搬送波決定方式、オフセット値決定方式などを用いることができる。
【０１５５】
上述した本発明の実施例が実行されうる基地局及び端末について、図１０を参照して説明する。
【０１５６】
図１０は、本発明の実施例が実行されうる基地局及び端末を説明するためのブロック構成図である。
【０１５７】
端末は、アップリンクでは送信装置として動作し、ダウンリンクでは受信装置として動作することができる。また、基地局は、アップリンクでは受信装置として動作し、ダウンリンクでは送信装置として動作することができる。すなわち、端末及び基地局は、情報またはデータの転送のために送信装置及び受信装置を含むことができる。
【０１５８】
送信装置及び受信装置は、本発明の実施例を実行するためのプロセッサ、モジュール、部分及び／または手段などを含むことができる。特に、送信装置及び受信装置は、メッセージを暗号化するためのモジュール（手段）、暗号化したメッセージを解析するためのモジュール、メッセージを送受信するためのアンテナなどを備えることができる。
【０１５９】
図１０において、左側は送信装置の構造で、基地局を示し、右側は、受信装置の構造で、基地局がサービスするセル内に進入した端末を示す。送信装置及び受信装置はそれぞれ、アンテナ１００１，１００２、受信モジュール１０１０，１０２０、プロセッサ１０３０，１０４０、送信モジュール１０５０，１０６０、及びメモリー１０７０，１０８０を備えることができる。
【０１６０】
アンテナ１００１，１００２は、外部から無線信号を受信して受信モジュール１０１０，１０２０に伝達する機能を果たす受信アンテナ、及び送信モジュール１０５０，１０６０で生成された信号を外部に転送する送信アンテナで構成される。アンテナ１００１，１００２は、多重アンテナ（ＭＩＭＯ）機能が支援される場合には２個以上備えることができる。
【０１６１】
受信モジュール１０１０，１０２０は、外部からアンテナを通じて受信した無線信号に復号（ｄｅｃｏｄｉｎｇ）及び復調（ｄｅｍｏｄｕｌａｔｉｏｎ）を行うことで原本データの形態に復元し、それをプロセッサ１０３０，１０４０に伝達することができる。受信モジュールとアンテナは、図１０に示すように分離せずに、無線信号を受信するための受信部とすることもできる。
【０１６２】
プロセッサ１０３０，１０４０は、一般に、送信装置または受信装置の動作全般を制御する。特に、上述した本発明の実施例を実行するためのコントローラ機能、サービス特性及び伝播環境に応じたＭＡＣ（Ｍｅｄｉｕｍ  Ａｃｃｅｓｓ  Ｃｏｎｔｒｏｌ）フレーム可変制御機能、ハンドオーバー（ＨａｎｄＯｖｅｒ）機能、認証及び暗号化機能などを有することができる。
【０１６３】
送信モジュール１０５０，１０６０は、プロセッサ１０３０，１０４０でスケジューリングされて外部に転送されるデータに所定の符号化（ｃｏｄｉｎｇ）及び変調（ｍｏｄｕｌａｔｉｏｎ）を行った後にアンテナに伝達することができる。送信モジュールとアンテナは、図１０に示すように分離せずに、無線信号を転送するための送信部とすることもできる。
【０１６４】
メモリー１０７０，１０８０は、プロセッサ１０３０，１０４０の処理及び制御のためのプログラムを格納することもでき、入／出力されるデータ（移動端末の場合は、基地局から割り当てられたアップリンクグラント（ＵＬ  ｇｒａｎｔ）、システム情報、基地局識別子（ｓｔａｔｉｏｎ  ｉｄｅｎｔｉｆｉｅｒ:ＳＴＩＤ）、フロー識別子（ｆｌｏｗ  ｉｄｅｎｔｉｆｉｅｒ：ＦＩＤ）、動作時間などの臨時記憶のための機能を有することもできる。
【０１６５】
また、メモリー１０７０，１０８０には、フラッシュメモリータイプ（ｆｌａｓｈ  ｍｅｍｏｒｙ  ｔｙｐｅ）、ハードディスクタイプ（ｈａｒｄ−ｄｉｓｋ  ｔｙｐｅ）、マルチメディアカードマイクロタイプ（ｍｕｌｔｉｍｅｄｉａ  ｃａｒｄ  ｍｉｃｒｏ  ｔｙｐｅ）、カードタイプのメモリー（例えば、ＳＤまたはＸＤメモリーなど）、ＲＡＭ（Ｒａｎｄｏｍ  Ａｃｃｅｓｓ  Ｍｅｍｏｒｙ）、ＳＲＡＭ（Ｓｔａｔｉｃ  Ｒａｎｄｏｍ  Ａｃｃｅｓｓ  Ｍｅｍｏｒｙ）、ＲＯＭ（Ｒｅａｄ−Ｏｎｌｙ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＰＲＯＭ（Ｐｒｏｇｒａｍｍａｂｌｅ  Ｒｅａｄ−Ｏｎｌｙ  Ｍｅｍｏｒｙ）、磁気メモリー、磁気ディスク、光ディスクのうち少なくとも一つのタイプの記憶媒体を用いることができる。
【０１６６】
送信装置のプロセッサ１０３０は、基地局の動作全般を制御し、図７乃至図９で上述した本発明の実施例によって、セル内に位置している各端末に対する搬送波スケジューリングを行いながら、各端末別に割り当てられた搬送波の位置情報を伝達するためのＣＩＦを構成することができる。
【０１６７】
ＣＩＦは、搬送波インデックス情報を含むフィールドで、本発明の実施例によれば、搬送波インデックスに関するオフセット値で示すことができ、一つのＣＩＦを通じてＤＬ ＣＣ及びＵＬ ＣＣの位置情報を示すことができる。一つのＣＩＦを通じてＤＬあるいはＵＬで区別される２以上のＣＣグループに属している各搬送波に対するインデックスオフセット値を示すようにＣＩＦを構成することができる。
【０１６８】
送信装置のプロセッサ１０３０は、各端末別に割り当てられる搬送波をＣＩＦにマッピングするためのマッピング情報、オフセット値の基準になる基準搬送波情報、搬送波または搬送波アグリゲーション構成に関する制御情報を生成し、これを送信モジュール１０５０を通じて受信装置に転送することができる。
【０１６９】
また、送信装置は、プロセッサ１０３０で構成されたＣＩＦを含む搬送波を、送信モジュール１０５０を通じて受信装置に転送する。
【０１７０】
受信装置のプロセッサ１０４０は、端末の動作全般を制御し、受信したＣＩＦ解析を通じて特定搬送波の位置情報を知ることができる。
【０１７１】
受信装置のプロセッサ１０４０は、端末の動作全般を制御する。また、図７乃至図９で上述した本発明の実施例によって、受信モジュール１０２０を介して受信したＣＩＦを解析し、基地局で当該端末に割り当てた特定搬送波の位置情報を導出することができる。この時、受信装置のプロセッサ１０４０は、搬送波タイプによって、ＣＩＦに含まれている搬送波インデックスオフセット値をカウンティングする方法を別々にすることができる。
【０１７２】
そして、受信装置のプロセッサ１０４０は、ＣＩＦ解析を通じてダウンリンク搬送波の位置情報を得ることで、送信装置から当該搬送波を通じて送信されるダウンリンクデータを受信することができる。同様に、ＣＩＦ解析から得たアップリンク搬送波の位置情報に基づき、当該搬送波を通じて送信装置にアップリンクデータを転送するようにすることもできる。
【０１７３】
プロセッサ１０３０，１０４０は、本発明の実施例において上述したそれぞれの制御情報をＤＭ−ＲＳではなく別途のシグナリングを通じて転送するように構成することができる。一方、基地局は、上述した本発明の実施例を実行するためのコントローラ機能、直交周波数分割多重接続（ＯＦＤＭＡ：Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）パケットスケジューリング、時分割デュプレックス（Ｔｉｍｅ  Ｄｉｖｉｓｉｏｎ  Ｄｕｐｌｅｘ）パケットスケジューリング及びチャネル多重化機能、サービス特性及び伝搬環境に応じたＭＡＣフレーム可変制御機能、高速トラフィック実時間制御機能、ハンドオーバー（Ｈａｎｄｏｖｅｒ）機能、認証及び暗号化機能、データ転送のためのパケット変復調機能、高速パケットチャネルコーディング機能及び実時間モデム制御機能などを、上述したモジュールの少なくとも一つを用いて行ったり、このような機能を実行するための別途の手段、モジュールまたは部分などをさらに含むこともできる。
【０１７４】
以上開示された本発明の好適な実施例に関する詳細な説明は、当業者が本発明を具現し実施できるように提供された。上記では本発明の好適な実施例を参照して説明したが、該当技術の分野における熟練した当業者であれば、本発明の領域から逸脱しない範囲内で、本発明を様々に修正及び変更可能であるということが理解されるであろう。例えば、当業者は、上述した実施例に記載された各構成を互いに組み合わせて用いることができる。
【０１７５】
したがって、本発明は、ここに開示された実施形態に制限されるものではなく、ここに開示された原理及び新規な特徴と一致する最も広い範囲を与えるためのものである。
【産業上の利用可能性】
【０１７６】
本発明の実施例は、様々な無線通信システムに適用することができる。様々な無線接続システムの一例に、３ＧＰＰ（３ｒｄ  Ｇｅｎｅｒａｔｉｏｎ  Ｐａｒｔｎｅｒｓｈｉｐ  Ｐｒｏｊｅｃｔ）、３ＧＰＰ２及び／またはＩＥＥＥ ８０２．ｘｘ（Ｉｎｓｔｉｔｕｔｅ  ｏｆ  Ｅｌｅｃｔｒｉｃａｌ  ａｎｄ  Ｅｌｅｃｔｒｏｎｉｃ  Ｅｎｇｉｎｅｅｒｓ  ８０２）システムなどがある。本発明の実施例は、上記の様々な無線接続システムの他、該様々な無線接続システムを応用したいかなる技術分野にも適用することができる。
【図１】
0006017960.tif 000010
【図２】
0006017960.tif 000011
【図３】
0006017960.tif 000012
【図４】
0006017960.tif 000013
【図５】
0006017960.tif 000014
【図６】
0006017960.tif 000015
【図７】
0006017960.tif 000016
【図８】
0006017960.tif 000017
【図９】
0006017960.tif 000018
【図１０】
0006017960.tif 000019